(57)【要約】【課題】照明器具に広告等の掲示物を、主照明の妨げにならず、大形で視認性の良い形態と位置に装着出来るようにすると共に、着脱容易にして、広告媒体としても有用な施設型照明器具を提供すること。【解決手段】照明器具の光源を保持する灯具ベースに、掲示物を保持するための機構を設け、掲示物を脱着可能に保持すると共に、光源からの光束の一部を、反射及び拡散、回析等により掲示物を照射する光源として用いると共に、大形の掲示物を設置するためのスペースを照明器具本体、又は本体外に設けた。【選択図】図１
2015043058.tif 000002
【特許請求の範囲】
【請求項１】
照明用の光源と、前記光源を保持し、前記光源への電力を供給するための配線部材を有した灯具ベースと、前記灯具ベースの所定の位置に設置された掲示物保持部材と、前記掲示物保持部材により保持される薄板状の掲示物よりなり、前記掲示物は、前記掲示物保持部材により、着脱自在に取り付けられている事を特徴とする照明器具。
【請求項２】
前記灯具ベースに、両端を棒状の支持部材により保持された薄板状の掲示物を装着するとともに、前記棒状の支持部材は、前記薄板状の掲示物に所定の張力を与えるための機構を備えたことを特徴とする、請求項１に記載の照明器具。
【請求項３】
前記灯具ベースに、両端を棒状の支持部材により保持された薄板状の掲示物を装着するとともに、前記灯具ベースは、前記棒状の支持部材を灯具ベースに装着後に、所定の操作をしないと外れない様にするロック機構を有する事を特徴とする、請求項１又は２に記載の照明器具
【請求項４】
前記灯具ベースに、所定の曲面を有した受け部材を設けると共に、前記受け部材に当接する弾性体を具備し、前記受け部材と前記弾性体とにより、掲示物を保持するための掲示物保持機構を備えた事を特徴とする照明器具。
【請求項５】
前記灯具ベースに、光源からの光束を反射、又は拡散させる反射拡散部材を設ける事により、前記光束を掲示物を照射するようにした事を特徴とする請求項１〜４のいずれかに記載の照明器具。
【請求項６】
前記灯具ベースの所定の位置に対向に設置された一対の掲示物保持部材と、前記掲示物保持部材により着脱自在に所定の張力を持って保持される薄板状の掲示物よりなる照明器具において、前記掲示物保持部材は、所定の位置で系止され、張力の付与を解除出来るように構成されたことを特徴とする請求項１に記載の照明器具。
【請求項７】
前記薄板状の掲示物には、両端の所定の位置に突起物を形成し、前記掲示物保持部材の一部と係合して保持されるようにした事を特徴とする、請求項６に記載の照明器具
【請求項８】
前記照明用の光源を、主光源となる下面照射部分と、前記掲示物を照射するための側面照射部分の２方向に分散させたことを特徴とする請求項１〜７に記載の照明器具
【請求項９】
照明用の光源と、前記光源を保持し、前記光源への電力を供給するための配線部材を有した灯具ベースに、長手方向に所定の長さの傾斜面を備え、前記傾斜面に対応した対向する垂直の壁面を有し、前記傾斜面と前記壁面の間に所定の径を有した円筒状の部材を、適宜配置し、重力により、前記傾斜面を移動して、前記壁面に当接してなる構造を有した、掲示物を保持するための掲示物保持機構を備えた事を特徴とする照明器具。
【発明の詳細な説明】
【発明の詳細な説明】
【技術分野】
【０００１】  本発明は、天井や梁等に取り付けて室内や公共スペース、駅舎、駅ホームなどの周辺等を照明する所謂ベースライトと呼ばれる照明器具に関するものである。
【背景技術】
【０００２】  従来の照明器具において、照明器具の光源の一部を外して、そこに掲示物を保持させて、広告媒体とする提案がされている。更に、照明器具の近傍に広告等の掲示物を設置し、広告媒体と照明器具を組み合わせた形で、新たな広告媒体としての活用を提案したものがある（例えば特許文献１参照）【０００３】  また、照明器具の発光部に広告用のシールを貼り付ける、あるいは、広告を印刷することにより、照明器具に広告媒体としての機能を持たせた照明器具がある（例えば特許文献２参照）【０００４】  また、ＬＥＤ方式の照明器具において、照明光の一部の光束を利用して、器具の側面を照射して、そこに広告等の表示を行うようにした光源と灯具が一体となった照明器具がある（例えば特許文献３参照）
【先行技術文献】
【特許文献】
【０００５】
【特許文献１】特開２００５−１８１５０６号公報
【特許文献２】特開２００２−２６０４３９号公報
【特許文献３】特開２０１２−０６９３６７号公報
【発明の概要】
【発明が解決しようとする課題】
【０００６】  特許文献１の照明器具では、複数本ある蛍光灯の１本を外して、広告物を掲載するようにしたので、所望の明るさが得られず、本来の照明装置としての機能を著しく損失していた。また、照明器具近傍への広告物掲載においては、掲載するための部材や工事が新たに必要となり、高価なばかりか、広告物が、光源からの光束の遮蔽物となり、照明としての機能も阻害する恐れがあり、実用性に問題があった。【０００７】  特許文献２の照明器具においては、蛍光管を想定しているため、高温になる端部の口金近傍を避けて、広告用のシールを貼付、又は、印刷などにより広告と為しているが、蛍光管は径も小さく、そこに記載された広告の視認性が良くない。また照明としての機能を満足させるためには、印刷基材や印刷を透過性のある材料で形成しなくてはならず、広告としての訴求力に乏しいという問題があった。また広告物の交換が出来ないため、駅等の短期間での広告掲載には不向きであった。【０００８】  また特許文献３の照明器具においては、ＬＥＤの光束の一部を、両サイドの部品の形状を工夫して反射し、両サイドの部品の外側面を照射することで、そこに広告物を掲示する提案がなされているが、器具の側面は面積も小さく、そこに掲載される広告や表示物の視認性が良好でなく、広告媒体としての有用性に改善の余地が残されていた。【０００９】  本発明の照明器具は上記のような課題を解決するために為されたものであり、照明器具の一部に、広告物を掲載又は保持するための機構を備え、また交換を容易にする工夫を加えた事により、広告媒体としての応用性を広げ、更に照明用の光源を利用して、広告物を照射するようにしてあり、視認性の良い広告物が掲示出来る様にしたものである。このことにより、照明と広告機能を併せ持った、従来に無い照明器具を提供出来るものである。
【課題を解決するための手段】
【００１０】  前記目的を達成するために、本発明の照明器具は、灯具ベース本体に、標語や標識、宣伝広告、告知広告等の所謂広告物等（以降、広告物と略す）を掲載、保持出来る様にしたものであり、広告物を脱着自在に装着可能にすることで達成される。広告物は略長方形のフィルム状からなり、端部の２本の支柱に支持されて、前記灯具ベース本体の所定の場所に装着されるとともに、広告物に所定の張力を与えて、広告掲示面の平面性を維持できるようにしてある。さらに、光源からの光束を広告物の掲載面に照射できるようにして、広告物の視認性が高まるようにしてある。【００１１】  本発明の照明器具は、保持、脱着を容易にするばかりでなく、より大形の広告物が掲載できるように、灯具ベースの本体の外側に向けても広告物が掲載出来る様に構成される。これは広告物の両側に設けた棒状の支柱により、フィルム状の広告物を張って装着するようにしたもので、周囲の空間を利用して、大きさを選択できるので、照明器具本体の大きさに因われず、視認性の良い広告物が掲載できる。フィルム状の広告物は、主に樹脂ベース素材が用いられる事が多いが、温度の変化による伸び縮みや、製造時の大きさのバラツキを吸収するために、バネ等を用いて、所定の張力を広告物に与える様にしてあるため、たるむことなく、常に平面を維持する事が出来る。【００１２】  本発明の照明器具は、照明器具本体に、掲示物掲載の為のスペースを設けて、掲示物の装着を容易にした保持部材を設け、短期間での広告掲載時等に、その交換性を高めたものである。【００１３】  すなわち、本発明は、以下の通りである。
本発明（１）は、照明用の光源と、前記光源を保持し、前記光源への電力を供給するための配線部材を有した灯具ベースと、前記灯具ベースの所定の位置に設置された掲示物保持部材と、前記掲示物保持部材により保持される薄板状の掲示物よりなり、前記掲示物は、前記掲示物保持部材により、着脱自在に取り付けられている事を特徴とする照明器具である。
本発明（２）は、前記灯具ベースに、両端を棒状の支持部材により保持された薄板状の掲示物を装着するとともに、前記棒状の支持部材は、前記薄板状の掲示物に所定の張力を与えるための機構を備えたことを特徴とする、前記（１）に記載の照明器具である。
本発明（３）は、前記灯具ベースに、両端を棒状の支持部材により保持された薄板状の掲示物を装着するとともに、前記灯具ベースは、前記棒状の支持部材を灯具ベースに装着後に、所定の操作をしないと外れない様にするロック機構を有する事を特徴とする、前記（１）又は（２）に記載の照明器具である。
本発明（４）は、前記灯具ベースに、所定の曲面を有した受け部材を設けると共に、前記受け部材に当接する弾性体を具備し、前記受け部材と前記弾性体とにより、掲示物を保持するための掲示物保持機構を備えた事を特徴とする照明器具である。
本発明（５）は、前記灯具ベースに、光源からの光束を反射、又は拡散させる反射拡散部材を設ける事により、前記光束を掲示物を照射するようにした事を特徴とする前記（１）〜（４）のいずれかに記載の照明器具である。
本発明（６）は、前記灯具ベースの所定の位置に対向に設置された一対の掲示物保持部材と、前記掲示物保持部材により着脱自在に所定の張力を持って保持される薄板状の掲示物よりなる照明器具において、前記掲示物保持部材は、所定の位置で系止され、張力の付与を解除出来るように構成されたことを特徴とする前記（１）に記載の照明器具である。
本発明（７）は、前記薄板状の掲示物には、両端の所定の位置に突起物を形成し、前記掲示物保持部材の一部と係合して保持されるようにした事を特徴とする、前記（６）に記載の照明器具である。
本発明（８）は、前記照明用の光源を、主光源となる下面照射部分と、前記掲示物を照射するための側面照射部分の２方向に分散させたことを特徴とする前記（１）〜（７）に記載の照明器具である。
本発明（９）は、照明用の光源と、前記光源を保持し、前記光源への電力を供給するための配線部材を有した灯具ベースに、長手方向に所定の長さの傾斜面を備え、前記傾斜面に対応した対向する垂直の壁面を有し、前記傾斜面と前記壁面の間に所定の径を有した円筒状の部材を、適宜配置し、重力により、前記傾斜面を移動して、前記壁面に当接してなる構造を有した、掲示物を保持するための掲示物保持機構を備えた事を特徴とする照明器具である。
【発明の効果】
【００１４】  本発明にかかる照明器具によれば、主たる目的である周囲を照らす光源としての機能に加えて、広告物を交換可能に掲載するための構造と、前記広告物を明るく目立つようにする事により、広告媒体としての有用性が増したので、照明器具の新しい形態を提案出来る。【００１５】  本発明の照明器具によれば、照明器具の本体に因われず、広告物を本体より張りだして掲載する事により、より大きな広告物が使用出来、広告媒体としての可能性を大きく広げることが出来る。【００１６】  本発明の照明器具によれば、付加機能により広告収入が得られるので、ＬＥＤ照明や、今後普及するであろう有機ＥＬ照明など、節電効果が大きく初期投資が多大になる照明器具の代替促進、新規設置に大きく貢献できるものである。【００１７】  本発明の照明器具によれば、掲示された文字やマークが良く認識されるので、標語やスローガンなどの掲示板としても活用出来るものである。【００１８】  本発明の照明器具によれば、従来掲示物として、天井からつり下げた標識類も不要になるため、標識類の設置部材や、工事も不要になり、経費の削減も出来るものである。
【図面の簡単な説明】
【００１９】
【図１】本発明の第一の実施形態に係る照明器具の下方から見た全体斜視図である。
【図２】図１に示す照明器具の裏面（上方）からみた全体斜視図である。
【図３】図１に示す照明器具の縦方向断面図である。
【図４】図１に示す照明器具の広告物支持部材の構造図である。
【図５】図１に示す照明器具の広告物支持部材の部分拡大構造図である。
【図６】図１に示す照明器具の広告物支持部材の作用を示す図である。
【図７】本発明の第二の実施形態に係る、広告物支持部材の部分斜視図である。
【図８】本発明の第三の実施形態に係る照明器具の下方から見た全体斜視図である。
【図９】図８に示す照明器具の縦断面図である。
【図１０】本発明の第四の実施形態に係る照明器具の広告物の構造図である。
【図１１】図１０に示す照明器具の縦断面図である。
【図１２】本発明の第五の実施形態に係る照明器具の下方から見た全体斜視図である。
【図１３】図１２に示す照明器具の裏面（上方）からみた全体斜視図である。
【図１４】図１２に示す照明器具の支持部材の裏面（上方）からみた構造図である。
【図１５】図１２に示す照明器具の支持部材の下方からみた構造図である。
【図１６】図１２に示す照明器具の広告物支持部材の部分拡大構造図である。
【図１７】図１２に示す照明器具の広告物の部分拡大図である。
【図１８】図１２に示す照明器具の広告物支持部分の拡大側面図である。
【図１９】図１２に示す照明器具の張力付加の作用を示す側面図である
【図２０】図１２に示す照明器具の張力解除の作用を示す側面図である
【図２１】図１２に示す照明器具の張力付加時広告フィルムの作用を示す側面図である
【図２２】図１２に示す照明器具の張力解除時広告フィルムの作用を示す側面図である
【図２３】本発明の第六の実施形態に係る照明器具の下方から見た全体斜視図である。
【図２４】図２３に示す照明器具の縦方向断面図である。
【図２５】図２３に示す照明器具の下方から見た部分斜視図である。
【図２６】図２３に示す照明器具の広告物掲示の作用１を示す断面図である
【図２７】図２３に示す照明器具の広告物掲示の作用２を示す断面図である
【図２８】図２３に示す照明器具の広告物掲示の作用３を示す断面図である
【図２９】図２３に示す照明器具の広告掲示をしてない下方から見た部分斜視図である。
【図３０】本発明の第七の実施形態に係る照明器具の下方から見た全体斜視図である。
【図３１】図３０に示す照明器具の張力付加機構の構造斜視図である。
【図３２】本発明の第八の実施形態に係る照明器具の下方から見た全体斜視図である。
【図３３】図３２に示す照明器具の掲示物反転の状態を示す全体斜視図である。
【図３４】図３２に示す照明器具の掲示物の展開図である。
【図３５】図３２に示す照明器具の駆動機構を示す断面図である。
【図３６】図３２に示す照明器具の掲示物反転作用を示す部分斜視図である。
【図３７】本発明の第九の実施形態に係る照明器具の縦断面図である。
【発明を実施するための形態】
【００２０】  以下、本発明の照明器具の実施形態について図面を参照して説明する。なお、以下の実施形態においては、ＬＥＤチップ５は本発明に係る光源の一例であり、フレーム１とシャーシ２とランプカバー６とエンドキャップ７とで本発明に係る掲示物保持部材の一例を構成しており、広告フィルム１２及び広告物２５は本発明に係る掲示物の一例であり、支持シャフト１３が本発明に係る棒状の支持部材の一例であり、付勢バネ１７が本発明に係る所定の張力を与えるための機構の一例であり、ロックレバー１４と先端部１４ａと開口部７ａとで本発明に係るロック機構の一例を構成しており、広告受け２３が本発明に係る受け部材の一例であり、押さえバンド２６が本発明に係る弾性体の一例であり、広告受け２３と下端ホルダー２４と押さえバンド２６と下ヒンジ２７と上ヒンジ２８とで本発明に係る掲示物保持機構の一例を構成しており、ローレット６ａは本発明に係る反射拡散部材の一例である。
【００２１】（第一の実施形態）
【００２２】  図１〜図３は、この発明の実施の形態を示す照明器具の下方、及び上から見た全体斜視図と内部の構造を示す部分斜視図である。
【００２３】  図１において、１は灯具のベースとなるフレームで、左右一対で構成され、アルミ合金等の軽金属の押出成形加工で製造されている。前記フレーム１は、その加工方法から、同一断面形状であり、長手方向に所定の長さで形成されている。２はシャーシで、前記フレーム１と同じアルミ合金等の軽金属の押出し成形加工で形成され、前記フレーム１と嵌合するような断面形状になっており、ネジ３で所定の箇所だけ締結されている。前記シャーシ２には、天井内配線の引き込み穴２ａが設けられており、灯具内部の電源部（図示せず）に接続され、後述するＬＥＤ基板に電力を供給することが出来る。また天井の構造物に設置するときに使用する取り付け穴２ｂが、左右対称に一対設けられている。
【００２４】  ４はＬＥＤ基板で、前記フレーム１の所定の位置に取り付けられる。前記ＬＥＤ基板４の取り付けは、ネジまたは接着などの方法で良く、好ましくは熱伝導性の良好な接着剤、もしくはシリコングリス等の熱伝導性の良いグリス等を塗布してネジ締めする事が、ＬＥＤチップ５の温度上昇が押さえられ、より長期間の耐用年数が得られる。
【００２５】  前記ＬＥＤ基板４には図示しない回路パターンが形成されており、ＬＥＤチップ５が、表面実装機等で搭載され、図示しない電源部からの電流供給により、発光が可能になっている。前記ＬＥＤチップ５は、所定の個数、所定の箇所に複数個搭載され、照明空間に於ける、所望の照度が確保できるように、個数や明るさが適宜選択されて使用される。
【００２６】  ６はランプカバーで、ポリカーボネート等の光透過率の高い材質で形成され、適宜白色分散剤を混入して、乳白とするか、又は分散剤を加えた塗装などで、前記ＬＥＤチップ５の光束を適度に分散して、グレアーの発生を防止している。前記ランプカバー６の内面は、山形のローレット６ａが長手方向に切られており、前記ＬＥＤチップ５からの光束を横方向に反射させて、照射角を大きくすると共に、側面にも、反射回析が起きるので、後述する広告物の広告面を照射して、視認性を高めるために効果的に作用する。前記ランプカバー６は断面形状が同じなので、樹脂の押出成形加工で形成することで、安価に製造可能である。前記ランプカバー６は、前記フレーム１の所定の場所に、その弾性を利用して、ガタツキや隙間が無いように取り付けられる。
【００２７】  ７は左右一対に設けられたエンドキャップで、前記フレーム１に図示ないネジで固定される。８は天井に設置されている取り付けボルトで、９は取り付けワッシャー、１０はナットである。照明器具は前記シャーシ２を前記ナット１０で締め付けて固定される。照明器具は一体構造となっており、予め照明機器内の配線はされており、天井に取り付け後、天井配線をするだけで設置が完了するようになっている。前記シャーシ１の下方が大きく開口しており、スパナやレンチ等の工具が使用可能になっている。１１はセンターカバーで、照明器具を設置後にセンターカバー１１を装着することで、ナットや配線が見えないように、目隠しキャップの機能を持たせている。前記センターカバー１１は長手方向に十分な長さを有して取り付けられ、図示しないスナップフィット構造で、脱着が簡単に行えるようになっている。
【００２８】  １２は広告フィルムで、所謂バナー形広告と呼ばれる長方形の形態をしており、ＰＥＴやＰＶＣ等の樹脂基材に耐候性や印刷適性を持たせるために、種々の添加物を加えたり、もしくは表面処理などを行なっている。広告フィルム１２には、広告に用いる文字や図柄、スローガンや案内などの画像１２ａが印刷されている。なお、印刷保護の為に表面コートされたものもある。厚みは０．１ｍｍ程度の極薄素材が好ましく、本発明では軽量な事が重用される。これは、広告を粘着シール等を利用した大形の貼り付け部材にすると、灯具の受け面を強固な金属で形成しなければならず、重量が増して、天井部分への付加が大きくなり、災害時の安全性が低下するという問題が想定できる。また製造コストが上昇し、製品の販売価格が高くなるといった問題も生じて来る。１３は支持シャフトで、前記広告フィルム１２の両端部を支持し、前記エンドキャップ７に装着された時に、前記広告フィルム１２をたるみなく支持する事が出来る。また後述する、フィルムに張力を付与させる機構を内蔵しており、環境などによりフィルムの伸縮が起きてもたるまないような構造を備えている。
【００２９】  １４はロックレバーで、前記支持シャフト１３を前記エンドキャップ７に装着した際に、容易に外れないように、係止するための機構である。前記広告フィルム１２の交換の際には、前記ロックレバー１４を解除して、外す事が出来る。
【００３０】  次に、前記支持シャフト部分の構成について、図４〜６を用いて説明する。図４は支持シャフト１３部分の機構全体構成を示す斜視図で２方向から描いている。図５は支持シャフト１３の詳細な斜視図であり、図６は支持シャフト１３の付勢の作用図である。支持シャフト１３は先端部のみに後述する付勢バネが入るスペース１３ａを形成されており、スペース内にはバネ掛け軸１３ｂが設置されている。また支持シャフト１３の他端には、前述したエンドキャップ７に挿入される差込部１３ｃが形成され、回転を止めるためのＶ溝１３ｄと、脱着時のロック機構が係止する溝１３ｅが形成されている。
【００３１】  Ｖ溝１３ｄは前記エンドキャップ７の挿入孔に設けられた、Ｖ突起（図示せず）と係合して、回転方向を規制しており、後述する回転カラーが回転しても、連れ回りが起きないようにしてある。また後述するキャップが挿入される孔部１３ｆも設けられている。
【００３２】  １５は回転カラーで、前記支持シャフト１３に回動可能に取り付けられる。前記回転カラーは、その端部に、概略角度９０度にわたって、長穴状の切欠き１５ａが開けられ、また後述する付勢バネの係止部１５ｂが設けられている。
【００３３】  回転カラー１５には、前記広告フィルム１２が所定の強度で軸に平行に貼付されている。
【００３４】  １６は止めビスで、前記回転カラー１５の切欠き１５ａを通って、前記支持シャフト１３に取り付けられ、前記回転カラー１５の回動角度を概ね９０度に規制している。
【００３５】  １７は付勢バネで、前記支持シャフト１３のバネ掛け軸１３ｂの端部を係止し、他端は前記回転カラーの係止部（切欠き）１５ａに係止される。
【００３６】  １８はロックレバー軸で、前記エンドキャップ７の所定の位置に固着している。図４のエンドキャップ７は便宜上、内部を俯瞰するために、上部を割愛してある。ロックレバー１４は、前記ロックレバー軸１８に回動可能に取り付けられており、先端部１４ａは前記エンドキャップ７の開口部７ａを通って、外側に突出している。ロックレバー１４の係止部１４ｂは前記支持シャフト１３の溝１３ｅに係止しており、支持シャフト１３の挿入時は、差しこむだけで良いが、取り外す時は、ロックレバー１４の先端部１４ａをつまんで、回動させ、係止部１４ａの係合を外す動作が必要である。これは不用意に外れるのを防止するためで、広告フィルム１２に強風などの外力が加わった時にも、不用意に外れて、落下の危険が生じないようにするためである。１９はロックレバー押圧バネで、前記エンドキャップ７に取り付けられており、前記ロックレバー１４に係止方向に所定の圧力を与えている。７ｂは支持シャフトストッパで、支持シャフト１３の軸方向の位置を規制している。
【００３７】  ２０は軸キャップで、樹脂製でボス部２０ａを設けてある。前記軸キャップ２０は、前記支持シャフト１３の孔部１３ｆに圧入嵌合されて、付勢バネ１７等の機構部を覆う役目を果たす。
【００３８】  次に図６も用いて、その作用を説明する。
【００３９】  広告フィルム１２は、樹脂ベースが多く、その線膨張係数は、金属に比べて、数倍と大きく、環境の変化などにより、１ｍ当たりでは数ミリと変化する。例えば、塩化ビニールであれば、７×１０−５［１／Ｋ］と大きく、３０度の温度変化で１ｍあたり２．１ｍｍ、２ｍなら４．２ｍｍも変化する。アルミなら半分の変化、鉄ならさらにその半分の変化で済む。これはつまり、金属等に固定された支柱に張られたフィルムは、温度が上がれば伸びて、たるむ事になり、温度が下がれば、縮むので、固定された軸部に張力が発生し、場合によってはフィルムの切断等が起きる事が予想される。広告フィルム１２等の広告物がたるんで平面性が維持できない場合は、広告品位が著しく落ちて、その価値の低下を招く恐れも考えられる。本発明では、予め所定の力で付勢された回転機構を設けてあり、図６の（ａ）で示す位置から、（ｂ）に示す位置まで概ね９０度の角度で広告フィルム１２の伸び縮みを吸収することが出来る。例えば外直径２０ｍｍの回転カラー１５であれば、９０度で約１５ｍｍの長さ調整が可能であり、中央を標準寸法で設定すれば、±７．５ｍｍの調整ができるので、前述した温度変化による伸び縮みだけでなく、広告フィルム１２の長さ方向の公差バラツキ分も吸収可能である。
【００４０】（第二の実施形態）
【００４１】  次に図７を用いて、第二の実施形態を説明する。前述した支持シャフト１３の中心部には、後述するフィルム係止バー２２が挿入される孔部１３ｆ（図７（ａ）においては、孔部１３ｆにフィルム系止バー２２が挿入されているので、孔部１３ｆは見えていない状態となっている。孔部１３ｆの位置は、図５、６を参照することで理解される。）が、前記フィルム係止バー２２の長さ以上に開けられている。また前記孔部１３ｆに相当する長さで、スリット１３ｇが形成されている。又ボス部１３ｈが形成され、後述する軸キャップが取り付く様になっている。
【００４２】  図７（ｂ）は広告フィルム１２が取り付けられる前の状態を示している。２１はゴム等の弾性材料で形成された、伸縮シートである。その端部には、フィルム係止バー２２が固着されている。又他方の端部には、広告フィルム１２が固着されている。図７（ａ）に示すように、前記伸縮シート２１と、前記係止バー２２は前記支持シャフト１３に約半周巻きつけられて、中心部の１３ｆに挿入されて取り付けられる。前述したように、広告フィルム１２が環境などにより、伸縮した場合は、前記伸縮シート２１の伸縮機能により、吸収して、たるみや過度の張力がかからないようにしてある。伸縮シート２１はゴム等であれば、表面摩擦が大きく、支持シャフト１３の表面を摺動しずらいので、表面にフッ素コートなどを処理して、表面摩擦係数を下げる事が望ましい。又蛇腹構造にして、伸縮ストロークを大きくする事も有効である。
【００４３】（第三の実施形態）
【００４４】  図８は、本発明の第三の実施形態に係る照明器具の下方から見た全体斜視図である。
【００４５】  図９はその縦断面図である。
【００４６】  第一の実施形態と同じ機能については、同様の符号を振ってある。
【００４７】  照明器具は、所謂細型蛍光管１本タイプと呼ばれるもので、器具の幅が狭い形状になっている。４はＬＥＤ基板、５はＬＥＤチップである。６はランプカバーであり断面が略菱形の形状をしており、内面下方には、山形のローレット６ａが長手方向に連続して形成されている。７はエンドキャップで、左右に一対取り付けられている。なお、シャーシやフレームと言った構成要素は図から省いている。１２は広告フィルムで、１３は支持シャフトで、広告フィルム１２及び支持シャフト１３は、前記エンドキャップ７に装着される。１２ａは広告印刷物（画像）である。１４はロックレバーで、前記エンドキャップ７より一部を露出しており、前記支持シャフト１３の外れ防止機構となっている。また前記ランプカバー６の上面側にも端部６ｂを有しており、前記ＬＥＤチップ５の光束が、ランプカバー６内面のローレット６ａに反射拡散して、上方部にも光が届くようになり、ＬＥＤ基板４を基準として、上半球、下半球と分けると、上半球にも５％強の光が配光される事がわかった。通常のＬＥＤチップ５の主光束は左右６０度であり、上半球への光の回析は皆無であるところから、ランプカバー６の形状と内面ローレット６ａの効果は大きいと言わざるを得ない。広告フィルム１２は灯具の近傍に位置するため、５％の分光でも、その照射効果は十分あり、このような挟幅照明器具にＬＥＤチップの組み合わせでも、十分な広告効果が得られるものである。また、ＬＥＤ照明でなく、蛍光管を配置すれば十分すぎるほどの背面への照射効果が得られる。
【００４８】（第四の実施形態）
【００４９】  図１０は、本発明の第四の実施形態に係る照明器具の下方から見た全体斜視図である。
【００５０】  図１１は、その縦断面図である。
【００５１】  第一の実施形態と同じ機能については、同様の符号を振ってある。
【００５２】  １はフレームで、４はＬＥＤ基板、５はＬＥＤチップである。６はランプカバーで、７はエンドキャップである。シャーシや電源等の図示は省略してある。２３は広告受けで、凹面をもった剛性のある材料で形成されるが、前記フレーム１と一体に形成しても良い。灯具の下方に向かって張り出す様に、形成されるので、広告のための大きなスペースが確保出来るとともに、照明の光束を受けやすい位置に広告を形成できる。広告物２５が縦型に設置されるので、遠方よりの認識率が高くなる。又光源の主光束を遮らないように配置されているので、照明器具としての明るさの確保は問題にならない。２４は下端ホルダーで、前記広告受け２３の端部を締結すると共に、後述する下ヒンジ２７を保持している。２５は広告物で、フィルムや、厚紙等で製作しても良く、片面に広告のための表記２５ａが印刷されている。前記広告物２５は、前記広告受け２３に添わせて設置され、後述する押さえバンド２６により押さえつけられて、固定される。２６は透明の樹脂等を用いた、弾性機能を有する押さえバンドである。下ヒンジ２７と上ヒンジ２８に保持され、左右に設けられるが、中央部に設けても良い。前記押さえバンド２６はその弾性力により、前記広告受け２３に沿って所定の圧力で密着している。また、前記押さえバンド２６は、中央部を持って、引っ張ることにより、図１１の断面図２６ａに示すように、反対側に湾曲して保持されるので、この状態で、前記広告物２５を交換する事が可能である。
【００５３】（第五の実施形態）
【００５４】  図１２は、本発明の第五の実施形態に係る照明器具の下方から見た全体斜視図である。
【００５５】  図１２は、その上方から見た全体斜視図である。
【００５６】  図１４〜図２２は、その機構部分の部分斜視図と作用を示す側面図である。
【００５７】  第一〜第四の実施形態と同じ機能については、同様の符号を振ってある。
【００５８】  １はフレームで、２はシャーシで、６はランプカバーで、７はエンドキャップで、１２は広告フィルムである。
ＬＥＤ基板やＬＥＤチップ、電源部に付いては省略してある。１２は広告フィルムで、両端部の所定の位置に、半球状に形成されたストッパ１２ａが所定の間隔で所定数配置されている。前記ストッパ１２ａはフィルムの押し出し成形でもよく、別部品を貼り付けても良い。又は樹脂を盛っても良い。１３は支持シャフトで、前記広告フィルム１２が挿入出来るように、所定のスリット１３ａが、所定の長さ設けられている。前記スリット１３ａの開口スリット幅は、広告フィルムの１２の板厚よりも広く、ストッパ１２ａの高さより狭く設定される。また支持シャフト１３には、前記広告フィルム１２の脱落を防止するためのストッパ１３ｂがその端部に形成されている。支持シャフト１３には、前記エンドキャップの開口部を覆うためのツバ１３ｃが、又後述する軸ホルダー２９に係合するための係合溝１３ｄが設けられている。支持シャフト１３の端部には、薄板状の係合板１３ｅが一体に設けられており、係合孔１３ｆが後述する軸ホルダー２９の係合ピンに嵌合して、位置決めと固定を行う。２９は軸ホルダーで、前記支持シャフト１３の係合溝１３ｄと嵌合するためのツバ部２９ａを有し、また、軸シャフト１３の係合板１３ｅに設けられた係合孔１３ｆと嵌合するための突起２９ｂが設けられており、支持シャフト１３の脱着が可能な構造となっている。
軸ホルダー２９の一端には、係合部２９ｃが形成されており、後述する取り付け板３２の端部と係合して、軸ホルダー２９の移動を規制する事が出来る。軸ホルダー２９の下面には。後述する引張バネが係合するためのバネ掛け２９ｄが設けられている。軸ホルダー２９には、転がり軸３０がその下面両側に、回転自在に取り付けられており、後述する取り付け板３２の上を転がることで、移動の負荷を低減している。また下面には一列にサイドガイドローラー３１が回転自在に取り付けられており、取り付け板３２の溝３２ａに嵌合して、回転方向の規制を行っている。３２は取り付け板で、前記エンドキャップ７の所定の位置に取り付けられ、前記サイドガイドローラー３１が嵌合するための溝３２ａが形成されている。３２ｂは取り付け板３２の端部である。３２ｃはバネ掛け部であり、３２ｄは反対側に形成されたツバ部で、前記支持シャフト１３の係合溝１３ｄと嵌合するように、形成され、突起３２ｅも設けられており、前記支持シャフト１３を着脱自在に装着可能になっている。３３は引張バネで、前記軸ホルダー２９のバネ掛け２９ｄと、取り付け板３２のバネ掛け３２ｃとの間に伸長して取り付けられる。なお、バネ掛け部２９ｄとバネ掛け部３２ｃは高さを異なって形成されるため、引張バネ３３は斜めに配置されている。
【００５９】  次にその作用に付いて、図１９〜図２２を用いて説明する。
図１９は広告フィルム１２を掲示している状態で、引張バネ３３により、所定の張力で広告フィルム１２は張られており、温度の変化や、部品の寸法公差も吸収できるようになっている。軸ホルダー２９は、転がり軸３０により、取り付け板３２の上をスムーズに移動できるようになっている。広告フィルム１２の交換時には、支持シャフト１３を広告フィルム１２の張力を解除する方向、すなわち矢印Ａ方向に押せば良い。この時、軸ホルダー２９の移動により、取り付け板３２の端部３２ｂから転がり軸３０が外れて、矢印Ｂの方向に、移動して止まる。これは。引張バネ３３が斜めに取り付けられており、水平方向と垂直方向に力が加わっているためであり、軸ホルダー２９の係合部２９ｃと取り付け板３２の端部３２ｂが係合して、引張バネ３３の張力がかかったまま停止している。
この時の、広告フィルム１２のストッパ１２ａは図２２に示すように、支持シャフト１３との間に隙間を設けて止まっているか、又は隙間はなくても張力がかかっておらず、広告フィルム１２は容易に、支持シャフト１３のスリット１３ａから引きぬくことが出来る。広告フィルム１２を引き抜くときに、支持シャフト１３のストッパ１３ｂを乗り越えるように曲げる必要があるが、薄くて柔軟性に富んだ素材のため、張力のかかってない状態では、僅かな力で乗り越えるための変形が可能である。
【００６０】（第六の実施形態）
【００６１】  図２３は本発明の第六の実施形態に係る照明器具の、下方から見た全体斜視図である。
【００６２】  図２４は、その縦断面図である。
【００６３】  図２５はそのフレーム部分とランプカバーの関係を示す下方から見た斜視図である。
【００６４】  図２６〜２８は、その作用を示す縦断面の拡大図である
【００６５】  図２９は、その広告フィルムを掲示しない場合の、下からみた全体斜視図である。
【００６６】  第一〜第五の実施形態と同じ機能については、同様の符号を振ってある。
【００６７】  １はフレームで、４はＬＥＤ基板で、５はＬＥＤチップ、６はランプカバーで、７はエンドキャップで、１２は広告フィルムである。
フレーム１は、後述するペーパーロック機能を備えたフレーム１と、備えてないフレーム１０１との２部品よりなっている。フレーム１の中央部には、下方に伸びたペーパーロック部１ａが形成されている。１ｂは傾斜面で、受け面１ｃと所定の間隔と、角度を備えており、左右にはランプカバー６を挟持するための溝部１ｄが設けられている。フレーム１の両端部には、ランプカバー６を挟持するための溝部１ｅが設けられている。ランプカバー６は、前記フレームの溝部１ｄ、１ｅの間に、所定の曲率を持って装着されている。フレーム１とフレーム１０１は図示しない締結部材で、強固に固定されて、一体化されている。３４はロックピンで、円筒状の形状をしており、所定の長さで数個配設されている。ロックピンの材質はプラスチックや軽金属の材質で形成され、自重で下端に位置するような重量であれば、パイプ状でも構わない。
【００６８】  次に、その作用について説明する。広告フィルム１２は、図２６に示すように、下方から、ロックピン３４とフレーム１の受け面１ｃとの間に、挿入される。挿入された時には、ロックピン３４が広告フィルム１２の厚みの分だけ、フレーム１の傾斜面１ｂに沿って移動し、図２７に示す位置に停止する。傾斜面１ｂと受け面１ｃとの間で、くさび効果が得られるので、広告フィルム１２は、落下しないでその位置に保持される。広告フィルム１２を取り外す時には、図２８に示すように、まず広告フィルム１２の端部を、ロックピン側に寄せると、ロックピン３４は、広告フィルム１２の変形により、傾斜面１ｂを上方に移動して、くさび効果が解除される。広告フィルム１２をそのまま斜め下方に引くことで、くさび効果を解除したまま、引きぬくことが出来、交換を容易に行う事が出来る。
図２９は、広告フィルム１２を取り外した後の全体斜視図である。
【００６９】（第七の実施形態）
【００７０】  図３０は第七の実施形態を示す、下方から見た全体斜視図である。
【００７１】  図３１は、その張力付与の機構を示す、部分拡大斜視図である。
【００７２】  第一〜第六の実施形態と同じ機能については、同様の符号を振ってある。
【００７３】  １はフレームで、７はエンドキャップで、１２は広告フィルムで、１３は支持シャフトである。広告フィルム１２と支持シャフトの係合については、前述した実施形態５で説明した方法により、保持されている。広告フィルム１２に所定の張力を与える機構に付いては、図３１を用いて説明する。エンドキャップ７の内面には、回転軸７ａが設けられており、またバネ掛け軸７ｂも、所定の位置に設けられている。
広告フィルム１２を保持する支持シャフトの１３は、回転レバー３５の係合部３５ａに装着されている。また、回転レバー３５は、前記回転軸７ａに回動自在に取り付けられている。また、回転レバー３５には。他端にバネ掛け軸３５ｂが形成されている。３６は引張バネで、前記バネ掛け軸７ｂ、３５ｂの間に取り付けられて、回転レバー３５に所定の回動力を与え、保持されている広告フィルム１２に所定の張力を与えている。支持シャフトの１３の反対側は、固定されていても構わない。なお、エンドキャップ７には、支持シャフト１３の可動範囲に応じた開口部が設けられている。
【００７４】（第八の実施形態）
【００７５】  第一〜第七の実施形態と同じ機能については、同様の符号を振ってある。
【００７６】  図３２は第八の実施形態を示す、下方から見た全体斜視図である。
【００７７】  図３２〜図３５において、６はランプカバーで、７はエンドキャップで、１２は広告フィルムで、１３は支持シャフトである。広告フィルム１２は、エンドレスに接合されており、広告の内容を２面有しており、所定の位置に識別マーク１２ａ、１２ｂが印刷されている。３７は回転軸で、両端に設けられており、前記広告フィルム１２を張架するように配置されている。回転軸３７は、外周面に所定の摩擦力を得るように、ウレタン等の塗装や、ゴム等の部材を貼り付けて、広告フィルム１２に駆動を伝えられるように構成されている。回転軸３７は、前述した支持シャフト１３に回動可能に取り付けられており、支持シャフト１３の内部に配設された、モーター３８と自在継ぎ手３９により連結されており、モーター３８の回転に同期して、回転するように構成されている。なおモーターの駆動回路や、配線は省略してある。また、広告フィルム１２に張力を与える機構については、実施形態５を参照されたい。回転軸３７は一対のうち、駆動部を有するのは、片側だけで良い。４０は反射型のフォトインターラプタであり、広告フィルム１２に設けられた識別マーク１２ａ、１２ｂを検出するのに用いる。
【００７８】  次に、その作用に付いて説明する。モーター３８を回転して、広告フィルム１２を回動させ。識別マーク１２ａ、又は１２ｂを、フォトインターラプタ４０で検出して、所定の位置で止める。この時の広告フィルム１２の広告面を、下面に位置させて掲示する。昼夜の時間毎や、季節などの、広告面を変えたい時には、モーターを３８を回転させ、広告フィルムの別の面を掲示すれば良い。モーター駆動回路にタイマーを設けて、自動で反転掲示させる方法と、手動で回転させて所望の掲示面を得るようにしても良い。
【００７９】（第九の実施形態）
【００８０】  図３７は第９の実施例を示す縦断面図である
【００８１】  第一〜八実施形態と同じ機能については、同様の符号を振ってある。
【００８２】  １はフレームで、２はシャーシ、４はＬＥＤ基板で、５はＬＥＤチップ、６はランプカバーである。ＬＥＤチップ５の、照明器具の端部に位置する列のＬＥＤチップ５ａは、素子の側面から、光を照射する、所謂サイド発光のチップを用いている。再度発光のＬＥＤチップ５ａからの光束は矢印Ａの方向に、主光束が照射されるため、照明器具のサイドに、広告フィルム１２を掲示する場合には、広告面を明るく照らして、視認性を向上させる事が出来る。別基板を設けて、側面に光を照射させるのは、配線や、基板の固定部材が必要になるため、製品の価格が上昇してしまうが、表面実装タイプのＬＥＤチップで構成する事により、実装機で同時組み込み出来るので、生産性が向上し、製品価格の上昇を抑える事が出来る
【００８３】  以上、図面を参照しながら本発明の好適な実施の形態について説明したが、本発明は上述した形態に限定されない。すなわち、特許請求の範囲に記載された発明の範囲内で当業者が想到し得る他の形態または各種の変更例についても本発明の技術的範囲に属するものと理解される。
【産業上の利用可能性】
【００８４】  本発明に係る照明器具は、従来の照明器具の形態に囚われること無く、広告掲載のためのスペースの確保と、認識を高めるための光源からの光束による広告物の照射を積極的に進める事により、広告媒体としての有用性を高め、新たな広告媒体としての新規市場を形成することが出来るものである。また、いままで室内を照らすだけだった照明器具を、広告媒体として活用出来、照明器具の付加機能を加える事で、商品性が高く、しかも、広告物をライトアップするための光源は、室内を照明するＬＥＤチップの光束を利用することで、消費電力を増やすこと無く実施出来る。【００８５】  節電のためだけでなく、新たな広告媒体として、広告業界において活用出来るものである。【００８６】  商店、駅やホーム、バス停、公共スペースなどにおいては、広告物を掲示すれば、広告収入が得られ、ＬＥＤ光源に代表される省エネ光源を用いれば、電気料金の節約分だけでなく、新たな収入源とする事も出来る。【００８７】  ＣＯ２削減に効果的な照明器具の導入においては、照明器具の新たな購入と交換工事費用がかかりますが、広告収入が得られれば、導入促進も図れ、ＬＥＤ照明の普及により、地球温暖化の元凶であるＣＯ２削減にも大きく貢献することが出来る。
【符号の説明】
【００８８】１…フレーム
２…シャーシ
４…ＬＥＤ基板
５…ＬＥＤチップ
６…ランプカバー
７…エンドキャップ
１２…広告フィルム
１３…支持シャフト
１４…ロックレバー
１５…回転カラー
１７…付勢バネ
２１…伸縮シート
２３…広告受け
２６…押さえバンド
２９…軸ホルダー
３２…取り付け板
３３…引張バネ
３４…ロックピン
３７…回転軸
３８…モーター
４０…フォトインターラプタ
【図１】
2015043058.tif 000003
【図２】
2015043058.tif 000004
【図３】
2015043058.tif 000005
【図４】
2015043058.tif 000006
【図５】
2015043058.tif 000007
【図６】
2015043058.tif 000008
【図７】
2015043058.tif 000009
【図８】
2015043058.tif 000010
【図９】
2015043058.tif 000011
【図１０】
2015043058.tif 000012
【図１１】
2015043058.tif 000013
【図１２】
2015043058.tif 000014
【図１３】
2015043058.tif 000015
【図１４】
2015043058.tif 000016
【図１５】
2015043058.tif 000017
【図１６】
2015043058.tif 000018
【図１７】
2015043058.tif 000019
【図１８】
2015043058.tif 000020
【図１９】
2015043058.tif 000021
【図２０】
2015043058.tif 000022
【図２１】
2015043058.tif 000023
【図２２】
2015043058.tif 000024
【図２３】
2015043058.tif 000025
【図２４】
2015043058.tif 000026
【図２５】
2015043058.tif 000027
【図２６】
2015043058.tif 000028
【図２７】
2015043058.tif 000029
【図２８】
2015043058.tif 000030
【図２９】
2015043058.tif 000031
【図３０】
2015043058.tif 000032
【図３１】
2015043058.tif 000033
【図３２】
2015043058.tif 000034
【図３３】
2015043058.tif 000035
【図３４】
2015043058.tif 000036
【図３５】
2015043058.tif 000037
【図３６】
2015043058.tif 000038
【図３７】
2015043058.tif 000039